【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
機器仮置きプール及び前記機器仮置きプールに連絡される原子炉ウェルが原子炉建屋の運転床に形成され、前記原子炉ウェルがシールドプラグで覆われており、前記機器仮置きプールと前記原子炉ウェルを連絡する通路がスロットルプラグで封鎖されており、前記原子炉建屋内に原子炉格納容器が配置される原子力プラントにおける前記原子炉格納容器内に配置される原子炉圧力容器を開放する方法であって、
前記原子炉圧力容器を開放する作業を燃料貯蔵プールから使用済み燃料搬出作業と並行して行える作業空間を確保することを特徴とする原子炉圧力容器を開放する方法。
【請求項２】
前記作業空間は、前記機器仮置きプールの上面を遮へいおよび気密を有する蓋にて閉止して放射線および放射性物質が運転床に漏えいしないエリアに整備し、前記原子炉ウェルと前記機器仮置きプールを封鎖するスロットルプラグに第１貫通孔を形成し、その第１貫通孔を介して原子炉ウェル内の機器を解体し、整備した機器仮置きプールを介して搬出することで、実現することを特徴とする請求項１に記載の原子炉圧力容器を開放する方法。
【請求項３】
前記機器仮置きプール内のエリアの整備として、上面に開閉する遮蔽体と閉止時に気密とする機能、スロットルプラグ側に開閉する遮蔽体と気密を有する機能を前記機器仮置きプール内に配置することを特徴とする請求項１または請求項２に記載の原子炉圧力容器を開放する方法。
【請求項４】
前記機器仮置きプールから前記第１貫通孔を通して前記シールドプラグで封鎖された前記原子炉ウェル内を除染し、その後第１放射線遮へい体を移送して前記シールドプラグの下方において前記原子炉格納容器の格納容器ヘッドを前記第１放射線遮へい体で覆い、原子炉ウェル内の機器を解体する前に原子炉ウェル内の汚染及び放射線を低減することを特徴とする請求項２記載の原子炉圧力容器を開放する方法。
【請求項５】
前記機器仮置きプールから前記第１貫通孔を通して前記シールドプラグで封鎖された前記原子炉ウェル内に第１放射線遮へい体を移送して前記シールドプラグの下方において前記原子炉格納容器の格納容器ヘッドを前記第１放射線遮へい体で覆い、前記第１放射線遮へい体で覆われた状態で前記シールドプラグの替りに、原子炉ウェル内の機器を解体するプラットホームと兼用した第２放射線遮へい体と入れ替えて原子炉ウェル内の機器を解体することを特徴とする請求項２に記載の圧力容器を開放する方法。
【請求項６】
前記第２放射線遮へい体と兼用するプラットホームは、下面に解体作業アームを取り付けて原子炉ウェル内の周方向、径方向および上下方向に解体作業アームを移動可能とすることを特徴とする請求項５に記載の原子炉圧力容器を開放する方法。
【請求項７】
機器仮置きプール及び前記機器仮置きプールに連絡される原子炉ウェルが原子炉建屋の運転床に形成され、前記原子炉ウェルがシールドプラグで覆われており、前記機器仮置きプールと前記原子炉ウェルを連絡する通路がスロットルプラグで封鎖されており、前記原子炉建屋内に原子炉格納容器が配置される原子力プラントにおける前記原子炉格納容器内に配置される原子炉圧力容器を開放する方法であって、
前記機器仮置きプールの上面を遮へいおよび気密を有する蓋にて閉止して放射線および放射性物質が運転床に漏えいしないエリアに整備し、
前記機器仮置きプールから前記スロットルプラグに第１貫通孔を形成し、
前記原子炉ウェル内の機器の上部に第１放射線遮へい体を設けた後に、前記シールドプラグと第２放射線遮へい体兼用のプラットホームを入れ替えし、
前記機器仮置きプール内に細断及び細断片を収納する収納容器を配置した気密を有する細断エリアを形成し、
原子炉ウェル内の機器を前記第１貫通孔を介して前記機器仮置きプール内の細断エリアで細断及び容器収納し、前記機器仮置きプール外に搬出することを特徴とする原子炉圧力容器を開放する方法。
【請求項８】
前記機器仮置きプールに配置した細断エリアは、細断と細断片を収納容器に収納する設備を気密を有する作業容器に内包することを特徴とする請求項７に記載の原子炉圧力容器を開放する方法。
【請求項９】
前記機器仮置きプールに配置した細断エリアでの収納容器搬出方法として、
貯水可能な容器と、その容器の内側に仕切りとその仕切りの下面に収納容器を通過可能な通路を有し、仕切り下面の通路より上方まで貯水した状態で水面上の容器壁面に仕切りを挟んで一方側に搬入口、反対側に搬出口を有する貯水容器を介して搬出することを特徴とする請求項７または請求項８記載の原子炉圧力容器を開放する方法。
【請求項１０】
機器仮置きプール及び前記機器仮置きプールに連絡される原子炉ウェルが原子炉建屋の運転床に形成され、前記原子炉ウェルがシールドプラグで覆われており、前記機器仮置きプールと前記原子炉ウェルを連絡する通路がスロットルプラグで封鎖されており、前記原子炉建屋内に原子炉格納容器が配置される原子力プラントにおける前記原子炉格納容器内に配置される原子炉圧力容器を開放する方法であって、
前記機器仮置きプールの作業空間から前記スロットルプラグに第１貫通孔を形成し、
前記原子炉ウェル内の機器の上部に第１放射線遮へい体を設けた後に、前記シールドプラグとスロットルプラグを取り外し、
機器仮置きプールと原子炉ウェルの運転床上に隔離ハウスを設置し、
機器仮置きプールと原子炉ウェルを連絡するスロットルプラグを取り外した部分の通路に仕切りを設置し、
機器仮置きプールと原子炉ウェルの運転床上の隔離ハウスに仕切りを設置し、
機器仮置きプールと原子炉ウェルの運転床面に仕切りを設置し、
機器仮置きプールと原子炉ウェルと、機器仮置きプール上の隔離ハウスと、原子炉ウェル上の隔離ハウスを各々独立に気密を有する室を設けることを特徴とする請求項２または請求項７に記載の原子炉圧力容器を開放する方法。
【請求項１１】
前記機器仮置きプールと原子炉ウェルと、機器仮置きプール上の隔離ハウスと、原子炉ウェル上の隔離ハウスを各々独立に気密を有する室に区分する仕切りは、放射線の遮へいの機能を有することを特徴とする請求項１０に記載の原子炉圧力容器を開放する方法。
【請求項１２】
前記第１放射線遮へい体として内部に水が充填された遮へい袋を用いることを特徴とする請求項４、請求項５、請求項７または請求項１０に記載の原子炉圧力容器を開放する方法。
【請求項１３】
前記原子炉圧力容器に取り付けられた圧力容器ヘッドを覆う原子炉ウェル内の機器をすべて解体し、前記機器仮置きプールを介して外に搬出された後、前記圧力容器ヘッドに第２貫通孔をあけ、該第２貫通孔からカメラを挿入し、前記圧力容器ヘッド内を調査し、その後前記原子炉圧力容器内の機器を前記原子炉建屋外に搬出することを特徴とする請求項２または請求項７に記載の原子炉圧力容器を開放する方法。
【請求項１４】
前記機器仮置きプールを通して前記第２貫通孔を形成する手段および前記カメラを搬入することを特徴とする請求項１３に記載の原子炉圧力容器を開放する方法。
【請求項１５】
前記原子炉ウェル上に設置した隔離ハウスを通して前記第２放射線遮へい体兼用のプラットホームの上面に、第２貫通孔を形成する手段およびカメラを内包する遮へい付き容器を設置し、
前記第２放射線遮へい体兼用のプラットホームに予め前記第２貫通孔を形成する手段を通過させるための通過孔に予め取り外し可能な閉止栓を設けておき、
前記第２貫通孔を形成する手段を前記閉止栓を取り外すことで通過させて、
前記原子炉圧力容器に取り付けられた圧力容器ヘッドに第２貫通孔をあけ、該第２貫通孔から前記カメラを挿入し、前記圧力容器ヘッド内を調査し、その後前記原子炉圧力容器内の機器を前記原子炉建屋外に搬出することを特徴とする請求項７に記載の原子炉圧力容器を開放する方法。
【請求項１６】
前記調査の結果に基づいて、その後行われる前記原子炉圧力容器内の機器の搬出作業に反映することを特徴とする請求項１３または請求項１５に記載の原子炉圧力容器を開放する方法。
【請求項１７】
機器仮置きプール及び前記機器仮置きプールに連絡される原子炉ウェルが原子炉建屋の運転床に形成され、前記原子炉ウェルがシールドプラグで覆われており、前記機器仮置きプールと前記原子炉ウェルを連絡する通路がスロットルプラグで封鎖されており、前記原子炉建屋内に原子炉格納容器が配置される原子力プラントにおける前記原子炉格納容器内に配置される原子炉圧力容器を開放する方法であって、
機器仮置きプールと原子炉ウェルの運転床上に隔離ハウスを設置し、
前記原子炉ウェル内の機器を取り外し後に、
前記原子炉圧力容器に取り付けられた圧力容器ヘッドを覆う隔離容器を、前記原子炉ウェル及び前記隔離ハウス内に配置し、
前記隔離容器内で、前記原子炉圧力容器から取り外された前記圧力容器ヘッド、原子炉圧力容器内の機器を取り外すことを特徴とする原子炉圧力容器を開放する方法。
【請求項１８】
前記原子炉圧力容器に取り付けられた圧力容器ヘッドを覆う隔離容器を、前記原子炉ウェル及び前記隔離ハウス内に設置する手段において、
第２放射線遮へい体兼用プラットホームに隔離容器の通過させる通過孔に予め取り外し可能な閉止栓を設けておき、
隔離容器を設置するときに、閉止栓を取り外した通過孔を利用して隔離容器を設定し、原子炉ウェル面の放射線遮へいを前記第２放射線遮へい体兼用プラットホームで実施することを特徴とする請求項１７に記載の原子炉圧力容器を開放する方法。
【請求項１９】
機器仮置きプール及び前記機器仮置きプールに連絡される原子炉ウェルが原子炉建屋の運転床に形成され、前記原子炉ウェルがシールドプラグで覆われており、前記機器仮置きプールと前記原子炉ウェルを連絡する通路がスロットルプラグで封鎖されており、前記原子炉建屋内に原子炉格納容器が配置される原子力プラントにおける前記原子炉格納容器内に配置される原子炉圧力容器を開放する方法であって、
原子炉建屋の側面を取り囲む第１シートと、前記原子炉建屋の運転床の上方に配置され第１開口部を有する上面を覆う第２シートとを有する全体カバー装置を前記燃料貯蔵プールから使用済み燃料搬出作業と並行して行う作業に必要な空間を形成するよう構成し、クレーンの掴み具を、前記第１開口部を通して前記全体カバー装置の下方へ移動させ、前記原子炉建屋の運転床上の落下物を前記掴み具で把持して前記第１開口部を通して前記全体カバー装置の上方へ移動させ、前記第１開口部を封鎖するし、前記落下物の撤去作業の後で行われることを特徴とする請求項１に記載の原子炉圧力容器を開放する方法。
【請求項２０】
前記全体カバー装置は、原子炉建屋内の運転床に散乱する落下物の撤去にも使用できることを特徴とする請求項１９に記載の原子炉圧力容器を開放する方法。
【請求項２１】
前記第２シートは伸縮性に有するシートであり、前記原子炉ウェル内の機器、または原子炉圧力容器内の機器を解体し収納した収納容器が前記第１開口部を通して前記全体カバー装置の上方へ移動することによって前記第２シートで覆われることを特徴とする請求項１９に記載の原子炉圧力容器を開放する方法。
【請求項２２】
掴み具を備える他のクレーンと前記落下物の回収面に該回収面を開閉する開閉シートとを有する装置内包容器を前記第１開口部又は前記空間内に載置し、前記開閉シートを開閉しながら、前記他のクレーンの掴み具で前記原子炉ウェル内の機器、または原子炉圧力容器内の機器を解体し収納した搬出容器を把持し、前記装置内包容器内に解体片を収納した収納容器を搬出することを特徴とする請求項１９に記載の原子炉圧力容器を開放する方法。
【請求項２３】
前記原子炉ウェル内の機器は、格納容器ヘッドおよび保温材、又は格納容器ヘッドと保温材、および圧力容器ヘッドであることを特徴とする請求項２乃至２２のいずれか１項に記載の原子炉圧力容器を開放する方法。
【請求項２４】
前記原子炉圧力容器内の機器は、気水分離器または蒸気乾燥器であること特徴とする請求項１５乃至２２のいずれか１項に記載の原子炉圧力容器を開放する方法。
【請求項２５】
請求項１乃至２４のいずれか１項記載の原子炉圧力容器を開放する作業を行ったが後、原子炉圧力容器底部の燃料デブリを解体し、原子炉建屋外に搬出することを特徴とする燃料デブリの取出し方法。